(57)【特許請求の範囲】
【請求項１】
背クッション(Ｃ1)が配設される本体部(11)の下側に、前方に屈曲した突出し部(12・12)が両サイドに設けられた背凭れ枠(１)と；上側に座クッション(Ｃ2)を配設可能であり、かつ、両サイドに前記背凭れ枠(12)の突端部(12a)が回転自在に連結された座枠(２)と；この座枠(２)が前後に進退可能に設置されるスライド部(31)を備え、かつ、後側に背凭れ枠(１)を支えるための支持部(32)が設けられた基台(３)とを含んで構成される一方、
前記座クッション(Ｃ2)を背凭れ枠(１)に固定することなく座枠(２)のみに固定し、更に背凭れ枠(１)と座枠(２)を、背凭れ枠(１)の本体部(11)を起立させた状態で座枠(２)の側方に、背凭れ枠(１)の突出し部(12・12)が隣接並行するように連結したことにより、
前記突出し部(12)の長さ分だけ背凭れ枠(１)の回動支点(Ｐ)を座枠(２)の前側へとずらして、傾倒時における背凭れ頂部の後方への移動を抑制可能としたことを特徴とする腰掛け構造物のリクライニング機構。
【請求項２】
背凭れ枠(１)の本体部(11)の上側にショルダーサポート(13)、若しくはヘッドレストが前後方向に回動自在に連結されていることを特徴とする請求項１記載の腰掛け構造物のリクライニング機構。
【請求項３】
基台(３)の支持部(32)を、基台(３)両側の側板間に架け渡したバー部材(32a)と、このバー部材(32a)に揺動自在に取り付けたスリットを有するスライドガイド(32b)とから構成し、更に背凭れ枠(１)の裏側に固定した取付け金具(14)を前記スライドガイド(32b)に形成したスリットに装着して、背凭れ枠(１)を支持部(32)に上下スライド可能に取り付けたことを特徴とする請求項１または２に記載の腰掛け構造物のリクライニング機構。
【請求項４】
背クッション(Ｃ1)が配設される本体部(11)の上下中間位置の後側に、下方に所要角度で突出したステー部(15・15)が両サイドに設けられた背凭れ枠(１)と；上側に座クッション(Ｃ2)が配設される座枠(２)と；この座枠(２)が前後に進退可能に設置されるスライド部を備え、かつ、後側に背凭れ枠(11)の上下中央寄りの部位を支えるための支持部(32)が設けられた基台(３)と；固定端側に基台(３)の枢支部(34)が連結され、遊端側に背凭れ枠(１)のステー端部(15a)が枢支部(34)よりも低い位置で回転自在に連結されると共に、背凭れ枠(１)のステー端部(15a)の連結位置よりも基台(３)の枢支部(34)の連結位置に近く、かつ、前記ステー端部(15a)の連結位置よりも前側の位置に座枠(２)の後端部(21)が連結された揺動リンク(５)とを含んで構成され、
前記背凭れ枠(１)の傾倒時における基台(３)の枢支部(34)を支点(Ｒ)とした揺動リンク(５)の下回り方向への回転により、背凭れ枠(１)の回動支点(Ｐ’)を座枠(２)の後端(Ｑ’)よりも大きく前方に移動せしめて、背凭れ頂部の後方への移動を抑制可能としたことを特徴とする腰掛け構造物のリクライニング機構。
【発明の詳細な説明】
【技術分野】
【０００１】
本発明は、腰掛け構造物のリクライニング機構の改良、詳しくは、リクライニング時における背凭れの後方への飛び出しを抑えることができ、また、着座者の衣服のずり上がりも防止でき、しかも、複数人掛けのソファにも採用できる腰掛け構造物のリクライニング機構に関するものである。
【背景技術】
【０００２】
近年、一般住宅やマンションの居住者が、部屋でくつろぐためにリクライニングソファを使用することが多くなっている。そして、部屋にリクライニングソファを配置する際には、倒した背凭れが壁とぶつからないようにソファを壁から離して配置することが多い。
【０００３】
しかしながら、上記のようにソファを壁から離して配置すると、背凭れを起こした状態においてソファと壁の隙間がデッドスペースとなるため、ソファ前方のスペースが狭められてしまい、ソファに座った際、部屋が狭苦しい印象となり易い。
【０００４】
そこで、従来においては、リクライニング時における背凭れの後方への移動をできるだけ抑えてソファを壁際に配置できるように、背凭れの傾倒にしたがって座部を前方に移動させる技術が提案されている(例えば、特許文献１〜３参照)、
【０００５】
しかしながら、上記従来の座部の移動のみに頼った構造では、座部の前後方向の移動幅が非常に大きくなってしまうため、ソファの前にテーブル等の家具を配置することが難しくなるなど、使用上において多くの不満があった。
【０００６】
一方、リクライニングソファ全般の課題としては、リクライニング時に背凭れ面と座面の相対的な位置関係が変わる(例えば図１０では、背凭れを倒すにしたがって背凭れ面が座面から離れてしまう)ことで、上着がずり上がってしまい着座者が不快な思いをする問題がある。
【０００７】
また、この問題は、文献１に開示されたソファのように、背凭れの回動支点をクッションの表側に移動させることで解決できるものの、この構造を複数人掛けのソファに採用すると、座席の境目に連結部分が突き出た状態となるため、複数の座席を跨いで座ったり横になったりすることができない。
【先行技術文献】
【特許文献】
【０００８】
【特許文献１】実開平６−１３５９４号公報（第２−７頁、第１−３図）
【特許文献２】特開２０００−１１６４５５号公報（第２−４頁、第１−２図）
【特許文献３】特開２００１−１６９８４７号公報（第２−６頁、第１−９図）
【発明の概要】
【発明が解決しようとする課題】
【０００９】
そこで本発明は、上記問題を鑑みてなされたものであり、その目的とするところは、リクライニング時における背凭れの後方への移動を抑制してソファなどの腰掛けを壁際に設置することができ、さらに、着座者の上着のずり上がりも防止可能で、しかも、座席ごとにリクライニングを行う複数人掛けのソファにも適用できるソファのリクライニング機構を提供することにある。
【課題を解決するための手段】
【００１０】
本発明者が上記課題を解決するために採用した手段を添付図面を参照して説明すれば次のとおりである。
【００１１】
即ち、本発明は、上記リクライニング機構を、背クッションＣ1が配設される本体部11の下側に、前方に屈曲した突出し部12・12が両サイドに設けられた背凭れ枠１と；上側に座クッションＣ2を配設可能であり、かつ、両サイドに前記背凭れ枠12の突端部12aが回転自在に連結された座枠２と；この座枠２がスライド部31に前後に進退可能に設置され、かつ、後側に背凭れ枠１を支えるための支持部32が設けられた基台３とを含んで構成する一方、
前記座クッションＣ2を背凭れ枠１に固定することなく座枠２のみに固定し、更に背凭れ枠１と座枠２を、背凭れ枠１の本体部11を起立させた状態で座枠２の側方に背凭れ枠１の突出し部12が隣接並行するように両者を連結したことにより、
前記突出し部12の長さ分だけ背凭れ枠の回動支点Ｐを座枠２の前側にずらして、傾倒時における背凭れ頂部の後方への移動を抑制可能とした点に特徴がある。
【００１２】
また本発明は、上記背凭れ枠１の本体部11の上側にショルダーサポート13、若しくはヘッドレストを前後方向に回動自在に設けることにより、背凭れを倒した際、ショルダーサポート13またはヘッドレストを前方に傾けて背凭れ頂部の後方への飛び出しを抑制することもできる。
【００１３】
そしてまた、本発明においては、上記基台３の支持部32を、基台３両側の側板間を架け渡したバー部材32aと、このバー部材32aに揺動自在に取り付けたスリット付きのスライドガイド32bとから構成し、更に背凭れ枠１の背面に固定した取付け金具14を前記スライドガイド32bのスリットに装着して、背凭れ枠１を支持部32に上下スライド可能に取り付けることもできる。
【００１４】
また本発明は、上記リクライニング機構の構成に代えて、背クッションＣ1が配設される本体部11の上下中間位置の後側に、下方に所要角度で突出したステー部15・15が両サイドに設けられた背凭れ枠１と；上側に座クッションＣ2が配設可能である座枠２と；この座枠２が前後に進退可能に装着されるスライド部を備え、かつ、後側に背凭れ枠11の上下中央寄りの部位を支えるための支持部32が設けられた基台３と；固定端側に基台３の枢支部34が連結され、遊端側に背凭れ枠１のステー端部15aが枢支部34よりも低い位置で回転自在に連結されると共に、背凭れ枠１のステー端部15aの連結位置よりも基台３の枢支部34の連結位置に近く、かつ、前記ステー端部15aの連結位置よりも前側の位置に座枠２の後端部21が連結された揺動リンク５とを含んで構成し、
前記背凭れ枠１の傾倒時における基台３の枢支部34を支点Ｒとした揺動リンク５の下回り方向への回転により、背凭れ枠１の回動支点Ｐ’を座枠２の後端Ｑ’よりも大きく前方に移動せしめて、背凭れ頂部の後方への移動を抑制することもできる。
【発明の効果】
【００１５】
本発明では、座枠に対する背凭れ枠の連結部位を前方に屈曲させたことにより、背凭れの回動支点を前側に移動させることができるため、リクライニング時に背凭れを下方に沈みこませながら傾倒させることが可能となり、それによって背凭れの後方への移動を抑制することができる。
【００１６】
一方、背凭れ枠の下端と座枠の後端、基台の枢支部を所定の位置・間隔で揺動リンクによって連結した場合においても、背凭れの回動支点を座部後端よりも大きく前方に移動させることができるため、上記と同様の効果を得ることができる。
【００１７】
また、上記構造を利用して背凭れの後方への移動を抑制すれば、同じ抑制手段として併用する座部の前後移動を小さく抑えることもできるため、ソファ前方にテーブル等の家具を配置し易くなる効果も得られる。
【００１８】
そしてまた、上記のように背凭れの回動支点を背クッションの前側に移動させることによって、リクライニング時における座クッションと背クッションの相対的な位置ズレも抑制できるため、上着のずり上がり防止にも一定の効果を奏する。
【００１９】
他方また、上記背凭れ枠と座枠の連結は、枠体がクッション上に表れないように行っているため、本発明に係る技術を複数人掛けのソファに採用した場合でも、座り心地に影響はなく、座席間を跨いでの着座や横臥を問題なく行うことができる。
【００２０】
したがって、本発明により、リクライニングソファを壁際に配置することができ、しかも、ソファの座り心地も改善できる腰掛け構造物のリクライニング機構を提供できることから、本発明の実用的利用価値は頗る高い。
【図面の簡単な説明】
【００２１】
【図１】本発明の実施例１におけるソファのリクライニング機構を表わす断面説明図である。
【図２】本発明の実施例１における背凭れ枠と座枠と基台の構造を表わす分解斜視図である。
【図３】本発明の実施例１における背凭れ支持構造を表わす拡大斜視図である。
【図４】本発明の実施例１におけるリクライニング機構の効果を説明するための状態説明図である。
【図５】本発明の実施例１におけるリクライニング機構の動作状態を表わす状態説明図である。
【図６】本発明の実施例２におけるソファのリクライニング機構を表わす全体側面図である。
【図７】本発明の実施例２におけるリクライニング機構を分解した状態を表わす分解図である。
【図８】本発明の実施例２におけるリクライニング機構の効果を説明するための状態説明図である。
【図９】本発明の変形例におけるリクライニング機構の部材の形状を表す分解図である。
【図１０】従来における腰掛けのリクライニング機構を表す状態説明図である。
【発明を実施するための形態】
【００２２】
『実施例１』  
本発明の実施例１について、図１から図５に基いて説明する。同図において、符号１で指示するものは背凭れ枠であり、符号２で指示するものは座枠である。また、符号３で指示するものは基台であり、符号４で指示するものは、スプリング(引きバネ)である。
【００２３】
この実施例１では、背クッションＣ1が固定される本体部11の下側に、前方に屈曲した突出し部12・12が両サイドに設けられた背凭れ枠１に、背クッションＣ1を取り付けてリクライニングソファＳの背凭れを形成している(図１参照)。
【００２４】
また、上記背凭れの背凭れ枠１については、図２(a)に示すように本体部11を形成する金属パイプの下部を屈曲して突出し部12・12を設けている(図２参照)。そして、上記背凭れ枠１の本体部11の上側には、ショルダーサポート13を前後方向に回動自在に連結している。
【００２５】
一方、リクライニングソファＳの座部については、座枠２の上側に座クッションＣ2を取り付けて形成している。そして、座枠２と背凭れ枠１は、背凭れ枠１の突端部12aを座枠２の中域部に回動自在に連結している。
【００２６】
また、上記背凭れ枠１と座枠２の連結は、背凭れ枠１を起立させた状態で突出し部12が座枠２の側方に隣接並行するように行っている。そしてまた、背クッションＣ1と座クッションＣ2の形状も、背凭れ枠１を傾倒させた際、背クッションＣ1の下部と座クッションＣ2の後部が干渉しないように設計してある。
【００２７】
一方、上記背凭れと座部は、リクライニングソファＳの基台３上に配設している。具体的には、図２(b)に示すように基台３の側板内側に設けたスライド部31・31に対し、座枠２を前後に進退可能に装着している。また、基台３の後部に設けた支持部32には背凭れ枠１を取り付けている。
【００２８】
ちなみに実施例１では、上記基台３の支持部32を、基台３両側の側板を架け渡したバー部材32aと、このバー部材32aに揺動自在に取り付けたスリット付きのスライドガイド32bとから構成すると共に、スライドガイド32bのスリットに背凭れ枠１の裏側に固定したコ字状の取付け金具14を装着して、背凭れ枠１を支持部32に上下スライド可能に取り付けている(図３参照)。
【００２９】
そして、リクライニングソファＳを上記のように構成したことにより、背凭れ枠１の突出し部12の分だけ、背凭れ部１の回動支点Ｐを座枠２の前側にずらすことができるため、図４に示すように座枠２の後端部Ｑを支点とする場合よりも、背凭れ傾倒時における背凭れ頂部の後方への移動を抑制することができる。
【００３０】
また、上記効果によって、図５(a)に示すように背凭れの飛び出し抑制手段として併用する座枠２の前後移動も小さく抑えることもできる。また更に、背凭れのショルダーサポート13を前方に起こせば、図５(b)に示すように、背凭れの後方への移動を一層小さくすることができる。
【００３１】
そしてまた、この実施例１では、座枠２の後端部21と基台３の後壁部33とをスプリング４で連結しているため、上半身の体重を後方にかけて背凭れを傾した後、上半身を軽く起こせばスプリング４の付勢力によって背凭れ部１を簡単に起こすことができる。
【００３２】
『実施例２』
次に実施例２について図６〜図８に基いて以下に説明する。なお同図において、符号５で指示するものは、揺動リンクである。この実施例２では、背凭れ枠１の本体部11の後側に所定角度で突き出したロッド状のステー部15・15を両サイドに設けている(図６、図７参照)。また基台３の側板には、揺動リンク５を連結するための枢支部34・34を設けている。
【００３３】
そして、上記背凭れ枠１のステー端部15aと、座枠２の後端部21、基台３の枢支部32は板状の揺動リンク５によって連結している。具体的には、揺動リンク５の固定端側に基台３の枢支部34を連結し、遊端側に背凭れ枠１のステー端部15aを連結する一方、背凭れ枠１のステー端部15aの連結位置よりも基台３の枢支部34の連結位置に近く、かつ、前記ステー端部15aの連結位置よりも前側の位置に座枠２の後端部21を連結している。
【００３４】
ちなみに実施例２では、上記揺動リンク５に形状が緩いＶ字状の金属板を使用し、Ｖ字の両端部に基台３の枢支部34と背凭れ枠１のステー端部15aを連結し、頂点部に座枠２の後端部21を連結している。また、座枠２の後端部の形状は上向きに屈曲した形状としている。
【００３５】
なお、揺動リンク５の三つの連結点については、クッション部材の相対的な位置関係が殆ど変わらない最適なレバー比によって各連結点の位置を決定しており、またこの連結点の位置に応じて揺動リンク５の形状や座枠２の後端部21の形状を設計している。また、基台３には、座枠２が前後に進退可能に装着されるスライド部を備えると共に、後側に背凭れ枠11の上下中央寄りの部位を支えるための支持部32を設けている。
【００３６】
そして、上記のようにリクライニングソファＳを構成したことにより、図８に示すように、背凭れ枠１の傾倒に伴う基台３の枢支部34を支点Ｒとした揺動リンク５の回転によって、背凭れ枠１の回動支点Ｐ’を座枠の後端Ｑ’よりも大きく前方に移動させることができるため、傾倒時における背凭れ部１の後方への移動を抑制することが可能となる。
【００３７】
本発明は、概ね上記のように構成されるが、本発明は図示の実施形態に限定されるものではなく、「特許請求の範囲」の記載内において種々の変更が可能であって、例えば、実施例１における背凭れ枠１の突出し部12の長さは、座枠２の長さの範囲で自由に変更することができる。
【００３８】
但し、背凭れ枠１の突出し部12を長くすると、背凭れ頂部の飛び出し抑制効果は高まるが、背凭れ枠１の落ち込み量も同時に大きくなるため、背凭れ枠１の屈曲部位が床にぶつからないように長さを調整する必要がある。
【００３９】
また、実施例２における揺動リンク５の形状に関しても、Ｖ字型でなくＴ字型や三角型等の形状としてもよく、また座枠２の後端部21の形状に関しても、上向きに持出し部を設けた形状であってもよい(図９参照)。
【００４０】
そしてまた、背凭れのショルダーサポート13は、前後に角度調節が可能なヘッドレストであってもよく、また本発明に係るリクライニング機構は、電動アクチュエータ等を用いて電動化することもでき、何れのものも本発明の技術的範囲に属する。
【産業上の利用可能性】
【００４１】
近年、個人や一般家庭においてもリクライニングソファの需要は大きくなっており、特に一般住宅やマンションでは部屋の間取りに充分な余裕がないことも多いため、できるだけ室内空間を有効に利用できるソファが望まれている。
【００４２】
そのような中で、本発明の腰掛け構造物のリクライニング機構は、ソファ等の腰掛け具を壁際に配置可能とすることで背凭れ起立時においてソファ前方の空間を広くとることができ、また複数人が腰掛けるロングソファにも適用できる有用な技術であるため、その産業上の利用価値は非常に高い。
【符号の説明】
【００４３】
１  背凭れ枠
11  本体部
12  突出し部
12a  突端部
13  ショルダーサポート
14  取付け金具
15  ステー部
15a  ステー端部
２  座枠
21  後端部
３  基台
31  スライド部
32  支持部
32a  バー部材
32b  スライドガイド
33  後壁部
34  枢支部
４  スプリング
５  揺動リンク
Ｓ  ソファ
Ｃ1  背クッション
Ｃ2  座クッション
Ｐ  回動支点
【図１】
0005597526.tif 000002
【図２】
0005597526.tif 000003
【図３】
0005597526.tif 000004
【図４】
0005597526.tif 000005
【図５】
0005597526.tif 000006
【図６】
0005597526.tif 000007
【図７】
0005597526.tif 000008
【図８】
0005597526.tif 000009
【図９】
0005597526.tif 000010
【図１０】
0005597526.tif 000011